(57)【要約】
【課題】顔や手等に簡単に水素豊富水を霧状に塗布できるようにして、細胞の老化を防ぎ酸化している細胞を還元し肌を若々しくよみがえらせるようにする。
【解決手段】飲料水と反応して水素ガスを発生するマグネシウム粒が充填された浸水性の袋体を内部に水が入るようにした筒体に入れて水素豊富水生成具を構成する。この水素豊富水生成具を飲料水とともに噴霧器を備えた容器本体に入れ、容器本体内で飲料水とマグネシウム粒を反応させ水素ガスを発生させ、容器本体内の飲料水を水素を豊富に含む水素豊富水に変える。この水素豊富水は、容器本体に取り付けられたノック体を押圧することで容器本体内の噴出口から霧状に噴射でき、顔や手に塗布することができる。
【選択図】図１
0003100763.tif 000002
【実用新案登録請求の範囲】
【請求項１】
携帯可能な容器本体と、該容器本体の開口部に脱着可能に取り付けられノック体を押圧すると容器本体内の液体を噴出口から霧状に噴射するための噴霧器と、前記容器本体に入れられた飲料水と、前記容器本体の開口部から挿入可能な大きさを有し前記容器本体内に前記飲料水とともに複数個入れられ内部に水が入るように外殻部に孔が穿設された筒体と、前記筒体に内置され内部に飲料水と反応して水素ガスを発生するマグネシウム粒が充填された浸水性の袋体とを備えたことを特徴とする水素豊富水生成スプレー容器。
【請求項２】
携帯可能な容器本体と、該容器本体の開口部に脱着可能に取り付けられノック体を押圧すると容器本体内の液体を噴出口から霧状に噴射するための噴霧器と、前記容器本体に入れられた飲料水と、前記容器本体内に前記飲料水とともに入れられ該飲料水と反応して水素ガスを発生するマグネシウム粒とを備えたことを特徴とする水素豊富水生成スプレー容器。
【請求項３】
前記飲料水が水道水であることを特徴とする請求項１又は請求項２に記載の水素豊富水生成スプレー容器。
【考案の詳細な説明】
【技術分野】
【０００１】
本考案は、顔やその他の皮膚に水素豊富水を塗布するのに便利な携帯型の水素豊富水生成スプレー容器に関する。
【背景技術】
【０００２】
水素を多量に含む水が癌その他の各種の病気の原因とされる活性酸素の消去に有効であるという学説が近年医学界において発表され、注目されている。このような水素を豊富に含む飲料水を生成する装置としては電気分解を利用したものが従来知られている。また、従来、マグネシウムについては次のように考えられている。「金属マグネシウムは室温では水に侵されないが、微粉末を水中で加熱すると、水と反応して水酸化マグネシウムと水素ガスが生成する。・・・」（例えば非特許文献１参照）あるいは、「マグネシウムＭｇ・・・は高温の水蒸気と反応し、水素を発生する・・・」（例えば非特許文献２参照）
【非特許文献１】桜井弘著「元素１１１の新知識」講談社出版８２頁
【非特許文献２】２００２年度教育セミナー  教育テレビ  ＮＨＫ高校講座  化学  日本放送協会・日本放送出版協会編  日本放送出版協会  ６４頁
【考案の開示】
【考案が解決しようとする課題】
【０００３】
電気分解を利用した従来の水素豊富水生成装置は、電源を必要とし、しかも構造が複雑となってしまうため、コスト高となり、消費者に簡単且つ安価に水素豊富水を供給することができなかった。
本考案はこの課題を解決することを目的とする。
また本考案は、水素水の有する機能性、高浸透性、漂白性等に着目しこれを応用することを目的とする。
【０００４】
実際に、水素水皮膚透過性検討試験及び培養皮膚膜細胞の活性化及び生存率の試験において、水素をトリチウムで置換した水素水を３次元培養ヒト皮膚モデル上に適用し、経時的に培養皮膚を通る水の量を測定し、水素水がヒト皮膚の水透性に及ぼす影響実験をした結果、水素水が培養皮膚を透過し真皮層に到達しさらに水素水が培養皮膚細胞の生存率を高め活性化をきたしていることが確認された。
【０００５】
本考案はこの作用を応用し顔に塗布することにより老化によるシミやシワを改善することができるようにすることを目的とする。
また本考案は、紫外線により発生する活性酸素を、水素は、還元し除去する作用がある為、携帯用の容器に水素を発生させる水素水生成具を投入し水素水を作り顔や手等にスプレーすることにより細胞の老化を防ぎ酸化している細胞を還元し肌を若々しくよみがえらせることを目的とする。
【課題を解決するための手段】
【０００６】
上記目的を達成するため本考案は、携帯可能な容器本体と、該容器本体の開口部に脱着可能に取り付けられノック体を押圧すると容器本体内の液体を噴出口から霧状に噴射するための噴霧器と、前記容器本体に入れられた飲料水と、前記容器本体の開口部から挿入可能な大きさを有し前記容器本体内に前記飲料水とともに複数個入れられ内部に水が入るように外殻部に孔が穿設された筒体と、前記筒体に内置され内部に飲料水と反応して水素ガスを発生するマグネシウム粒が充填された浸水性の袋体とを備えたものである。
【０００７】
また本考案は、携帯可能な容器本体と、該容器本体の開口部に脱着可能に取り付けられノック体を押圧すると容器本体内の液体を噴出口から霧状に噴射するための噴霧器と、前記容器本体に入れられた飲料水と、前記容器本体内に前記飲料水とともに入れられ該飲料水と反応して水素ガスを発生するマグネシウム粒とを備えたものである。
また本考案は、前記飲料水が水道水であることを特徴とするものである。
【考案の効果】
【０００８】
本考案は通常の飲料水を水素豊富水に簡単に変えることができるとともに、この水素豊富水を霧状にして顔や手などの皮膚に噴霧できる。
【考案を実施するための最良の形態】
【０００９】
以下に本考案の実施の形態を添付した図面を参照して詳細に説明する。
図中、符号１は、携帯用のスプレー容器の本体であり、該本体１の上部の開口部に噴霧器２が脱着自在に取り付けられている。前記噴霧器２はノック体３を備え、このノック体３を押圧すると、容器本体１内部の液体が噴出口４から霧状に噴射するように構成されている。５は噴霧器２の蓋体である。
【００１０】
６は弾丸（ＢＵＬＬＥＴ）状の筒体であり、その外殻の横断面形状が細長い筒状のプラスチックにより構成されている。前記筒体６の外殻には筒体内に液体を出入りさせるための孔７が穿設され、この孔７を通して筒体６の内部が外部と連通している。符号８は不織布などの浸水性の素材からなる袋体であり、これに銀粒９とマグネシウムの粒１０が充填されている。前記銀粒９とマグネシウム粒１０が充填された袋体８は前記筒体６の中に収納されている。
【００１１】
上記した構成において、図１に示すように、筒体６内に銀粒９及びマグネシウム粒１０を充填した水素豊富水生成具を、常温あるいは冷却した飲料水１１の入った容器本体１内に投入する。水素豊富水生成具投入後、１０分程度経過すると、容器本体１内の飲料水１１は銀粒９によって浄化される。また飲料水１１は、同時にマグネシウム粒１０と反応し、つぎの化学式によって水素ガスを発生する。
【化１】
0003100763.tif 000003
【００１２】
その結果、容器本体１内の常温あるいは冷却した水道水などの飲料水１１は、浄化されると同時に水素を豊富に含んだ水となる。現在において、金属マグネシウムは、加熱すると水と反応して水素ガスが生成される、あるいはマグネシウムは、高温の水蒸気と反応し水素を発生するというのが化学界の定説とされている。しかしながら、簡易水素センサーを用いて、上記実施形態のマグネシウム粒の反応を検査したところマグネシウムは、常温（摂氏２５度前後）あるいは冷却した水（摂氏５度前後）とも容易に反応して、水酸化マグネシウムと水素ガスを生成するという新事実が認められた。
【００１３】
これにより、電気分解装置を用いることなく水素豊富水が確実且つ安価に作れるようになった。
実際に水素水皮膚透過性検討試験及び培養皮膚膜細胞の活性化及び生存率の試験結果においても以下の結果が認められた。
実験方法は水素（１Ｈ）をトリチウム（５Ｈ）で置換した水素水を３次元培養ヒト皮膚モデル上に適用し、経時的に培養皮膚を通る水の量を測定した。この水素を水溶液中に溶存させて水素水がヒト皮膚の水透性に及ぼす影響実験の結果、水素水が培養皮膚を透過し真皮膚に到達しさらに水素水が培養皮膚細胞の生存率を高め活性化をきたしていることが確認された。ちなみに、この実験による、活性水素水と精製水（ＰＢＳ）の培養皮膚膜透過性の比較データでは、精製水（ＰＢＳ）の透過係数が１．０８×１０−６ｃｍ／ｓであるのに対し、活性水素水の透過係数が１．２３×１０−６という結果を得た。
【図面の簡単な説明】
【００１４】
【図１】本考案に係る水素豊富水生成スプレー容器の外観説明図である。
【図２】水素豊富水生成具の断面図である。
【符号の説明】
【００１５】
１      容器本体
２      噴霧器
３      ノック体
４      噴出口
５      蓋体
６      筒体
７      孔
８      袋体
９      銀粒
１０    マグネシウム
１１    飲料水
【図１】
0003100763.tif 000004
【図２】
0003100763.tif 000005